(57)【要約】【課題】複数のエネルギー貯蔵装置の出力を一体として制御してピークカット効果の減少を防止する。【解決手段】並列接続された複数のエネルギー貯蔵装置の出力を一体として制御する制御部を備え、前記制御部は、前記各エネルギー貯蔵装置の充電率が同一になるように、前記各エネルギー貯蔵装置の充放電を制御することを特徴とする電力管理装置である。【選択図】図１
2020171102.tif 000002
【特許請求の範囲】
【請求項１】
並列接続された複数のエネルギー貯蔵装置の出力を一体として制御する制御部を備え、
前記制御部は、前記各エネルギー貯蔵装置の充電率が同一になるように、前記各エネルギー貯蔵装置の充放電を制御することを特徴とする電力管理装置。
【請求項２】
前記制御部は、前記各エネルギー貯蔵装置の充電率が同一になるように前記各エネルギー貯蔵装置の出力分担を調整することを特徴とする、請求項１に記載の電力管理装置。
【請求項３】
前記制御部は、前記各エネルギー貯蔵装置の充電率及び定格出力に応じて前記出力分担を決定することを特徴とする、請求項２に記載の電力管理装置。
【請求項４】
前記制御部は、前記複数のエネルギー貯蔵装置から合計で所定の電力を放電させる場合には、前記充電率が最も大きい前記エネルギー貯蔵装置から優先的に放電させていき、前記複数のエネルギー貯蔵装置のうち、一部の前記エネルギー貯蔵装置が前記所定の電力よりも余剰に放電可能であれば、前記余剰分の電力を前記充電率が最も小さい前記エネルギー貯蔵装置に優先的に充電させることを特徴とする、請求項１に記載の電力管理装置。
【請求項５】
電力管理装置が、並列接続された複数のエネルギー貯蔵装置の出力を一体として制御する制御ステップを含み、
前記制御ステップでは、前記電力管理装置が、前記各エネルギー貯蔵装置の充電率が同一になるように、前記各エネルギー貯蔵装置の充放電を制御することを特徴とする電力管理方法。
【発明の詳細な説明】
【技術分野】
【０００１】
本発明は、電力管理装置及び電力管理方法に関する。
【背景技術】
【０００２】
電力全面自由化後の社会動向として、分散型電源（天然ガスコージェネレーションや燃料電池）がエネルギー供給設備として建物内に進出してくる可能性が高い。これら太陽光発電や風力発電等の分散型電源に代表される新エネルギーを、いかに商用系統（電力会社の電力網）に負担をかけることなく接続するかが課題となっている。その対策として、分散型電源の負荷追従運転によって商用系統への負担を軽減した「マイクログリッド」への取り組みが活発化している。
【０００３】
マイクログリッドの思想を取り込んだ分散型電源によるエネルギー供給システム（以下、単に「マイクログリッド」とする）では、通常時は商用系統と連携してピークカット運転を行い、商用系統の電源が停電するなどの非常時において、ＢＣＰ（business Continuity Plan：事業継続用計画）用の電源として利用することが考えられる。しかし、太陽光や風力などの自然エネルギーを用いた自然エネルギー発電は、天候や環境の変化により、発電する電力が大きく変動するため、連系運転時に確実なピークカット運転を行うためには、変動に応じて蓄電池の出力を制御する必要がある（例えば、特許文献１）。
【０００４】
マイクログリッドを運用するためには、十分な容量のエネルギー貯蔵装置が不可欠となる。現状ではエネルギー貯蔵装置が高いため、十分な容量のエネルギー貯蔵装置が導入できず、マイクログリッドが１００％の機能を発揮できない場合が想定される。
【０００５】
例えば、太陽光発電と、エネルギー貯蔵装置としての蓄電池と、によるマイクログリッドにおいて、電力負荷が最大デマンド付近で安定した場合、蓄電池の容量不足によって十分なピークカット効果が期待できないことが懸念される。
【先行技術文献】
【特許文献】
【０００６】
【特許文献１】特開２０１３−２４７７９５号公報
【発明の概要】
【発明が解決しようとする課題】
【０００７】
これらの問題を解決するための一手段として、比較的安価な小容量の蓄電池を複数台組み合わせて使用することで、あたかも一つの大容量の蓄電池と見なす、すなわち、複数の蓄電池の出力を一体として制御する方法が考えられる。
【０００８】
しかしながら、小容量の蓄電池は、運用状況などにより、ＳＯＣ(State Of Charge：充電率)がまちまちであるため、所望の出力が得られず、ピークカット効果の減少が生じる可能性がある。
なお、このような問題は蓄電池に限られた問題ではなく、蓄電池を含めた様々なエネルギー貯蔵装置に共通する問題である。
【０００９】
本発明は、このような事情に鑑みてなされたもので、その目的は、複数のエネルギー貯蔵装置の出力を一体として制御してピークカット効果の減少を防止することができることである。
【課題を解決するための手段】
【００１０】
本発明の一態様は、並列接続された複数のエネルギー貯蔵装置の出力を一体として制御する制御部を備え、前記制御部は、前記各エネルギー貯蔵装置の充電率が同一になるように、前記各エネルギー貯蔵装置の充放電を制御することを特徴とする電力管理装置である。
【００１１】
本発明の一態様は、上述の電力管理装置であって、前記制御部は、前記各エネルギー貯蔵装置の充電率が同一になるように前記各エネルギー貯蔵装置の出力分担を調整する。
【００１２】
本発明の一態様は、上述の電力管理装置であって、前記制御部は、前記各エネルギー貯蔵装置の充電率及び定格出力に応じて前記出力分担を決定する。
【００１３】
本発明の一態様は、上述の電力管理装置であって、前記制御部は、前記複数のエネルギー貯蔵装置から合計で所定の電力を放電させる場合には、前記充電率が最も大きい前記エネルギー貯蔵装置から優先的に放電させていき、前記複数のエネルギー貯蔵装置のうち、一部の前記エネルギー貯蔵装置が前記所定の電力よりも余剰に放電可能であれば、前記余剰分の電力を前記充電率が最も小さい前記エネルギー貯蔵装置に優先的に充電させる。
【００１４】
本発明の一態様は、並列接続された複数のエネルギー貯蔵装置の出力を一体として制御する制御ステップを含み、前記制御ステップは、前記各エネルギー貯蔵装置の充電率が同一になるように、前記各エネルギー貯蔵装置の充放電を制御することを特徴とする電力管理方法である。
【発明の効果】
【００１５】
以上説明したように、本発明によれば、複数のエネルギー貯蔵装置の出力を一体として制御してピークカット効果の減少を防止することができる。
【図面の簡単な説明】
【００１６】
【図１】本発明の一実施形態に係る電力供給システムＡの概略構成の一例を示す図である。
【図２】本発明の一実施形態に係る電力管理装置５の概略構成図である。
【図３】本発明の一実施形態に係る充放電制御部８の蓄電池３−１及び蓄電池３−２の出力分担を制御する制御ブロック図である。
【図４】本発明の一実施形態に係る複数の蓄電池３を一つの蓄電池にまとめる方法を示す図である。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
以下、本発明の一実施形態に係る電力管理装置及び電力管理方法を、図面を用いて説明する。
【００１９】
図１は、本発明の一実施形態に係る電力供給システムＡの概略構成の一例を示す図である。
【００２０】
電力供給システムＡは、本発明の一実施形態に係る電力管理装置５を備え負荷Ｆとする需要家の需要電力量を平準化するシステムである。本実施形態では、電力供給システムＡは、分散型電源１１と出力調整が可能な複数の蓄電池３とを組み合わせて、分散型電源１１の発電電力及び負荷Ｆの負荷変動に応じで複数の蓄電池３の出力を変化させることで、安定的にエネルギーを供給する、例えばマイクログリッドである。なお、負荷Ｆは、電力供給を受けて動作する機器や設備などを一括して示したものである。
以下、電力供給システムＡの構成について、具体的に説明する。
【００２１】
図１に示すように、電力供給システムＡは、分散型電源装置１、複数のインバータ２（２−１，２−２）、複数の蓄電池３（３−１，３−２）、複数の測定部４、及び電力管理装置５を備える。なお、蓄電池３は、エネルギー貯蔵装置の一例である。
【００２２】
分散型電源装置１は、分散型電源１１及びインバータ１２を備える。
分散型電源１１は、自然エネルギー由来の電源、すなわち自然エネルギーを用いた発電機である。例えば、分散型電源１１は、太陽光発電、風力発電、又は水力発電等による発電機である。分散型電源１１は、インバータ２を介して電力系統Ｌに発電出力を供給する。
【００２３】
インバータ１２は、交流と直流との間を双方向に電力変換する双方向型の電力変換装置である。インバータ１２は、電力系統Ｌと分散型電源１１との間に設けられている。インバータ１２は、分散型電源１１が発電した発電電力を交流に変換して電力系統Ｌに供給する。
【００２４】
インバータ２は、交流と直流との間を双方向に電力変換する双方向型の電力変換装置である。インバータ２は、電池用のインバータであって、複数の蓄電池３に対応してそれぞれ設けられている。具体的には、インバータ２は、電力系統Ｌと蓄電池３との間にそれぞれ設けられている。本実施形態では、インバータ２−１は、蓄電池３−１と電力系統Ｌとの間に設けられている。また、インバータ２−２は、蓄電池３−２と電力系統Ｌとの間に設けられている。
【００２５】
各インバータ２は、電力管理装置５により制御され、蓄電池３に充電するための電力の交流直流変換、又は蓄電池３から放電により出力される電力の直流交流変換を行う。
【００２６】
複数の蓄電池３（３−１，３−２）は、それぞれ並列に接続されており、充電のために入力される電力を蓄積し、また蓄積した電力を放電して出力する。例えば、蓄電池３は、コンデンサ又は二次電池である。各蓄電池３は、インバータ２を介して電力系統Ｌに接続される。
複数の蓄電池３は、それぞれ電力系統Ｌに接続された商用電源Ｓ又は分散型電源１１により適宜充電されてもよい。また、複数の蓄電池３は、それぞれ他の蓄電池３から適宜充電されてもよい。
【００２７】
蓄電池３は、電力系統Ｌを介して負荷Ｆに対して自身に蓄電された電力を設定された出力範囲内で放電する。なお、出力範囲とは、蓄電池３に蓄えられた電力が放電可能であるときの電力の充電率（ＳＯＣ：State Of Charge）の範囲を示す。蓄電池３の充電率は、０％で蓄電池３の電力が蓄積されていないことを示し、１００％で満充電状態を示す。
なお、蓄電池３−１及び蓄電池３−２は、それぞれ定格出力や電池容量が異なっていてもよいし、同一であってもよい。
【００２８】
各測定部４は、複数の蓄電池３に対応してそれぞれ設けられている。この測定部４は、電流測定部及び電圧測定部を備える。この電流測定部は、蓄電池３に流れる電流値を測定する。この蓄電池３に流れる電流値とは、充電時において蓄電池３に入力される電流（充電電流）の電流値でもよいし、放電時において放電される電流（放電電流）の電流値でもよい。以下、蓄電池３に流れる電流値を「充放電電流値」と称す。
【００２９】
また、上記電圧測定部は、対応する蓄電池３の端子電圧値を測定する。すなわち、電圧測定部は、充電時における蓄電池３の端子電圧値を測定してもよいし、放電時における蓄電池３の端子電圧値を測定してもよい。
【００３０】
したがって、測定部４−１は、蓄電池３−１の充放電電流値Ｉ１及び端子電圧値Ｖ１を測定して、電力管理装置５に出力する。また、測定部４−２は、蓄電池３−２の充放電電流値Ｉ２及び端子電圧値Ｖ２を測定して、電力管理装置５に出力する。
【００３１】
電力管理装置５は、並列接続された複数の蓄電池３の出力を一体として制御する。すなわち、電力管理装置５は、並列接続された複数の蓄電池３の出力をそれぞれ独立に制御するのではなく、一体として制御することで、複数の蓄電池３をあたかも一つの大容量の蓄電池として制御する。ただし、単に複数の蓄電池３の出力を一体に制御したのでは、複数の蓄電池３全体から所望の電力が得られない場合がある。そのため、電力管理装置５は、各蓄電池３のＳＯＣ（充電率）が同一になるように、各蓄電池３の充放電を制御する。
【００３２】
以下、本発明の一実施形態に係る電力管理装置５について、図２を用いて説明する。図２は、本発明の一実施形態に係る電力管理装置５の概略構成図である。
【００３３】
電力管理装置５は、充電率算出部６、記憶部７、及び充放電制御部８を備える。なお、充放電制御部８は、本発明の「制御部」の一例である。
【００３４】
充電率算出部６は、蓄電池３−１，３−２のそれぞれのＳＯＣを取得する。例えば、充電率取得部５１は、測定部４−１から取得した蓄電池３−１の充放電電流値Ｉ１の時間積算値Ｑ１を算出して、その算出した時間積算値Ｑ１を蓄電池３−１の電池容量Ｗ１で除算することで蓄電池３−１のＳＯＣ１（＝Ｑ１／Ｗ１）を算出する。なお、蓄電池３−１，３−２の電池容量Ｗ１，Ｗ２は、予め記憶部７に記憶されている。
【００３５】
同様に、充電率取得部５１は、測定部４−２から取得した蓄電池３−２の充放電電流値Ｉ２の時間積算値Ｑ２を算出して、その算出した時間積算値Ｑ２を蓄電池３−２の電池容量Ｗ２で除算することで蓄電池３−２のＳＯＣ２（＝Ｑ２／Ｗ２）を算出する。
ただし、本発明のＳＯＣの算出方法は、これに限定されず、ＳＯＣが算出できればこれら以外の方法であっても構わない。
【００３６】
充電率算出部６は、上記蓄電池３−１，３−２のＳＯＣ１，ＳＯＣ２の算出を一定周期毎に行い、充放電制御部８に出力する。
【００３７】
記憶部７には、蓄電池３−１及び蓄電池３−２の電池容量Ｗ１，Ｗ２、蓄電池制御有効電力指令値ＥＰＣ、蓄電池３−１及び３−２の蓄電池定格出力ＲＯ１，蓄電池定格出力ＲＯ２が予め格納されている。
【００３８】
蓄電池制御有効電力指令値ＥＰＣは、演算値であり、複数の蓄電池３−１，３−２から合計で電力系統Ｌに放電させる電力の値を示す。すなわち、蓄電池制御有効電力指令値ＥＰＣは、複数の蓄電池３−１，３−２を一つの蓄電池と見なした時に電力系統Ｌに出力したい電力の値である。
蓄電池定格出力ＲＯ１は、蓄電池３−１が出力可能な電力の上限値である。また、蓄電池定格出力ＲＯ２は、蓄電池３−２が出力可能な電力の上限値である。
【００３９】
充放電制御部８は、並列接続された複数の蓄電池３の出力を一体として制御するものであって、充電率算出部６が算出するＳＯＣ１及びＳＯＣ２が同一になるように蓄電池３−１及び蓄電池３−２の充放電を制御する。
【００４０】
例えば、蓄電池３−１のＳＯＣ１が６０％、蓄電池３−２のＳＯＣが４０％である場合において、この２台の蓄電池３−１及び蓄電池３−２で合計１０ｋＷ（＝ＥＰＣ）を電力系統Ｌに放電したい場合を考える。この場合、充放電制御部８は、蓄電池３−１から優先的に放電させる。そして、充放電制御部８は、蓄電池３−１から放電された電力では１０ｋＷを賄えない電力の不足分を蓄電池３−２から放電させる。これにより、蓄電池３−１，３−２から電力系統Ｌに１０ｋＷが供給されるとともに、ＳＯＣ１及びＳＯＣ２が同一の値に近づいていく。
【００４１】
また、充放電制御部８は、蓄電池３−１が電力系統Ｌに対して１０ｋＷ（＝ＥＰＣ）よりも余剰に放電可能であれば、その余剰分の電力を蓄電池３−２に充電させる。これにより、蓄電池３−１，３−２から電力系統Ｌに１０ｋＷを供給されるとともに、ＳＯＣ１及びＳＯＣ２が同一の値に近づいていく。
【００４２】
このように、充放電制御部８は、各蓄電池３のＳＯＣ１及びＳＯＣ２が同一になるように蓄電池３−１，３−２の出力分担をそれぞれ調整する。そして、充放電制御部８は、各蓄電池３−１，３−２の出力分担を時間経過とともに徐々に持ち替えていき、ＳＯＣ１及びＳＯＣ２が同一になるように維持する。例えば、蓄電池３−１の電池容量Ｗ１が２０ｋＷｈ、蓄電池３−２の電池容量Ｗ２が５ｋＷｈであれば、最終的には蓄電池３−１が８ｋＷ、蓄電池３−２が２ｋＷの電力を放電するように出力分担が維持される。
【００４３】
なお、蓄電池３−１は蓄電池３−２に対して４倍の電池容量を有するため、出力も４倍になる。これにより、各蓄電池３−１，３−２の電池容量に比例して電池出力が決定されるので、各蓄電池３−１，３−２の容量に対する出力負担が等しくなり、特定の蓄電池３に負担が偏らない運用が可能となる。
【００４４】
以下に、本発明の一実施形態に係る充放電制御部８の蓄電池３−１及び蓄電池３−２の出力分担を制御する制御ブロックを、図３を用いて説明する。図３は、本発明の一実施形態に係る充放電制御部８の蓄電池３−１及び蓄電池３−２の出力分担を制御する制御ブロック図である。
【００４５】
充放電制御部８は、減算器８１，８２、ＰＩＤ８３、ゲイン部８４、ｍａｘ８５、加算器８６、ｍｉｎ８７、制限部８８、及び減算器８９を備える。
【００４６】
減算器８１は、充電率算出部６から蓄電池３−１のＳＯＣ１及び蓄電池３−２のＳＯＣ２を取得する。そして、減算器８１は、ＳＯＣ２からＳＯＣ１を減算して、その減算した差分値Ｘ（＝ＳＯＣ２−ＳＯＣ１）をＰＩＤ８３に出力する。
【００４７】
減算器８２は、記憶部７から蓄電池定格出力ＲＯ１及び蓄電池制御有効電力指令値ＥＰＣを読み出す。そして、減算器８１は、蓄電池制御有効電力指令値ＥＰＣから蓄電池定格出力ＲＯ１を減算して、その減算した差分値Ｙ（＝ＥＰＣ−ＲＯ１）をｍａｘ８５に出力する。
【００４８】
ＰＩＤ８３は、ＰＩＤ制御を行い、差分値Ｘが０（ゼロ）に近づくような制御指令信号を生成する。この制御指令信号とは、蓄電池３から放電させる電力の値を示すものである。ＰＩＤ８３は、この制御指令信号を制限部８８に出力する。
【００４９】
ゲイン部８４は、記憶部７から蓄電池定格出力ＲＯ２を読み出し、その読み出した蓄電池定格出力ＲＯ２に「−１」を乗算して、その乗算値「−ＲＯ２」をｍａｘ８５に出力する。
【００５０】
ｍａｘ８５は、減算器８２から取得した差分値Ｙと、ゲイン部８４から取得した乗算値「−ＲＯ２」とを比較して、大きい方の値を制限部８８に出力する。
【００５１】
加算器８６は、記憶部７から蓄電池定格出力ＲＯ１及び蓄電池制御有効電力指令値ＥＰＣを読み出す。そして、加算器８６は、蓄電池制御有効電力指令値ＥＰＣ及び蓄電池定格出力ＲＯ１を加算して、その加算値Ｄ（＝ＥＰＣ＋ＲＯ１）をｍｉｎ８７に出力する。
【００５２】
ｍｉｎ８７は、記憶部７から蓄電池定格出力ＲＯ２を読み出す。そして、ｍｉｎ８７は、加算器８６から取得した加算値Ｄと、記憶部７から読み出した蓄電池定格出力ＲＯ２とを比較して、小さい方の値を制限部８８に出力する。
【００５３】
制限部８８は、ＰＩＤ８３から出力された制御指令信号を、ｍｉｎ８７から出力された値を上限値とし、ｍａｘ８５から出力された値を下限値とした範囲（以下、「制限範囲」という。）内に制限する。制限部８８に入力された制御指令信号の振幅が制限範囲内の場合には、入力された制御指令信号はそのまま制限部８８から出力される。一方、制限部８８に入力された制御指令信号の振幅が上限値を超えた場合には、制限部８８は、その上限値を制御指令信号として出力する。また、制限部８８に入力された制御指令信号の振幅が下限値を下回った場合には、制限部８８は、その下限値を制御指令信号として出力する。
【００５４】
制限部８８から出力された制御指令信号は、蓄電池３−２から出力させる電力値ＣＤ２として設定される。また、制限部８８から出力された制御指令信号は、減算器８９に出力される。
【００５５】
減算器８９は、記憶部７から蓄電池制御有効電力指令値ＥＰＣを読み出す。そして、減算器８９は、その蓄電池制御有効電力指令値ＥＰＣから、制限部８８から取得した制御指令信号を減算して、その減算した差分値（＝ＥＰＣ−制御指令信号）を蓄電池３−１から出力させる電力値ＣＤ１として設定する。
なお、上記制御ロジック内においては、放電は正の値、充電は負の値で演算される。
【００５６】
充放電制御部８は、上述した制御ロジックによって求めた電力値ＣＤ１を蓄電池３−１から放電させるように、インバータ２−１を制御する。これにより、蓄電池３−１から電力値ＣＤ１が放電される。
また、充放電制御部８は、上述した制御ロジックによって求めた電力値ＣＤ２を蓄電池３−２から放電させるように、インバータ２−２を制御する。これにより、蓄電池３−２から電力値ＣＤ２が放電される。
【００５７】
このように、充放電制御部８は、複数の蓄電池３のそれぞれのＳＯＣが同一になるように各蓄電池３の出力分担をそれぞれ調整する。したがって、充放電制御部８は、複数の蓄電池３から電力系統Ｌに対して蓄電池制御有効電力指令値ＥＰＣの電力値を供給しながら、各蓄電池３のＳＯＣが同一になるように制御することができる。
【００５８】
以上、この発明の実施形態について図面を参照して詳述してきたが、具体的な構成はこの実施形態に限られるものではなく、この発明の要旨を逸脱しない範囲の設計等も含まれる。
【００５９】
（変形例１）
上記実施形態では、蓄電池３が２つの場合について説明したが、本発明はこれに限定されず、蓄電池３が複数であれば、その数には特に限定されない。例えば、蓄電池３が３つ以上であっても、本発明を適用可能である。
【００６０】
例えば、電力供給システムＡに、３つの蓄電池３０−１，３０−２，３０−３が備えられている場合を考える。この場合には、まず蓄電池３０−２と蓄電池３０−３をまとめて1つの蓄電池４０と見なして、上述した制御ロジックにおいて、蓄電池３０−１と蓄電池４０との２つの蓄電池の各出力を決定する。次に、蓄電池４０を蓄電池３０−２，３０−３に再度分解し、蓄電池４０の出力を蓄電池制御有効電力指令値ＥＰＣに適用して、蓄電池３０−２，３０−３の各出力をそれぞれ上述した制御ロジックで求めればよい。なお、一例として、複数の蓄電池を一つの蓄電池にまとめる方法（蓄電池３０−２と蓄電池３０−３とを1つの蓄電池４０と見なす方法）を、図４に記載する。蓄電池４０の定格出力は、各蓄電池３０−２，３０−３の定格出力の合計とする。また、蓄電池４０のＳＯＣは、各蓄電池３０−２，３０−３の電池容量およびＳＯＣから貯蔵量を計算し、合計の電容量と貯蔵量とから算出すればよい。
【００６１】
（変形例２）
上記実施形態では、電力供給システムＡは、エネルギー貯蔵装置として蓄電池３を備える場合を例として説明したが、本発明はこれに限定されず、蓄電池３以外のエネルギー貯蔵であってもよい。例えば、電気を使って電気分解により水素を製造する水電解装置、水素を貯蔵する高圧ガスタンクや液水タンクや水素吸蔵合金タンク、貯蔵した水素から発電を行う燃料電池を組み合わせたエネルギー貯蔵システムであってもよい。この場合には、図３に示す制御ロジック中の上限値の演算に用いている定格出力ＲＯ１，ＲＯ２に、エネルギー貯蔵装置の燃料電池の定格出力（定格電力）を適用し、下限値の演算に用いている定格出力ＲＯ１，ＲＯ２にエネルギー貯蔵装置の水電解装置の定格消費電力を用いればよい。
【００６２】
また、制御指令信号が正の場合には燃料電池の発電指令値とし、制御指令信号が負の場合には、マイナスを乗じて水電解装置の消費電力指令値とすればよい。
【００６３】
このように本制御はエネルギー入出力の単位（例えば、ｋＷ）と貯蔵量の単位（％）さえ合わせられれば、電気だけでなく、水素や熱に対しても適用可能であり、またこれらのエネルギー貯蔵媒体は混在していても構わない。このように、電気、熱、水素などの複数種類のエネルギー貯蔵装置を併用することができる。
【００６４】
（変形例３）
また、上記実施形態において、充放電制御部８は、複数の蓄電池３から合計で所定の電力（＝蓄電池制御有効電力指令値ＥＰＣ）を放電させる場合には、ＳＯＣが最も大きい蓄電池３から優先的に放電させていき、複数の蓄電池３のうち、一部の蓄電池３が所定の電力よりも余剰に放電可能であれば、その余剰分の電力をＳＯＣが最も小さい蓄電池３から優先的に充電させてもよい。
【００６５】
（変形例４）
また、上記実施形態において、例えば、充放電制御部８は、蓄電池３が４つ以上であっても、その４つの蓄電池３が２つの蓄電池としてみなすように各蓄電池３を合成して、図３に示す制御ロジックで計算してもよい。すなわち、蓄電池１００−１〜１００−ｎ（ｎは３以上の整数）である場合には、蓄電池１００−１〜１００−ｍ（ｍは２以上の整数であって、ｎ未満の整数である）を１つの蓄電池２００−１として合成し、１００−（ｍ＋１）〜１００−ｎを１つの蓄電池２００−２として合成する合成処理を実施する。そして、この２つの蓄電池２００−１と蓄電池２００−２とのそれぞれで放電する電力値を図３に示す制御ロジックで求める。そして、充放電制御部８は、制御ロジックで求めた蓄電池２００−１が放電する電力値から、その蓄電池２００−１を合成する蓄電池１００−１〜１００−ｍの各蓄電池の放電量を求める。また、充放電制御部８は、制御ロジックで求めた蓄電池２００−２が放電する電力値から、その蓄電池２００−２を合成する蓄電池１００−（ｍ＋１）〜１００−ｎの各蓄電池の放電量を求める。その際には、充放電制御部８は、再度、蓄電池１００−１〜１００−ｍの中で上記合成処理を実施して図３に示す制御ロジックで放電量を求めてもよい。同様に、充放電制御部８は、蓄電池１００−（ｍ＋１）〜１００−ｎの中で上記合成処理を実施して図３に示す制御ロジックで放電量を求めてもよい。このように、蓄電池３が４つ以上であっても、それらの蓄電池３を２つの蓄電池とみなして図３に示す制御ロジックを適用して、ＳＯＣが同一になるような放電量を求めていく放電量算出処理を、各蓄電池３の放電量が求まるまで実施してもよい。
【００６６】
（変形例５）
上記実施形態では、充放電制御部８は、複数の蓄電池３から合計で所定の電力を放電させる場合には、ＳＯＣが最も大きい蓄電池３から優先的に放電させていき、複数の蓄電池３のうち、一部の蓄電池３が所定の電力よりも余剰に放電可能であれば、余剰分の電力をＳＯＣが最も小さい蓄電池３に優先的に充電させる。ただし、本発明はこれに限定されず、充放電制御部８は、複数の蓄電池３から所定の電力を充電させる場合（ＥＰＣが負）にも適用可能である。例えば、充放電制御部８は、夜間充電時や再生可能エネルギーの出力制御対策として充電を行う場合において、複数の蓄電池３のＳＯＣを平準化する場合に上記制御を適用可能である。すなわち、充放電制御部８は、ＳＯＣが最も小さい蓄電池３から優先的に充電させていき、複数の蓄電池３のうち、一部の蓄電池３が所定の電力よりも余剰に充電可能であれば、当該余剰分の電力をＳＯＣが最も大きい蓄電池３に優先的に放電させてもよい。
【００６７】
上述したように、本発明の実施形態に係る電力管理装置５は、並列接続された複数のエネルギー貯蔵装置の出力を一体として制御する充放電制御部８を備えている。そして、この充放電制御部８は、各エネルギー貯蔵装置の充電率が同一になるように、各エネルギー貯蔵装置の充放電を制御する。
【００６８】
このような構成によれば、複数のエネルギー貯蔵装置のＳＯＣを同一になるように制御するため、所望の電力を得ることが可能となり、複数のエネルギー貯蔵装置の出力を一体として制御してピークカット効果の減少を防止することができる。
【００６９】
また、本発明の実施形態に係る電力管理装置５は、充放電する電力量を予測することなくＳＯＣを同一にすることが可能となる。
【００７０】
また、充放電制御部８は、各エネルギー貯蔵装置の充電率が同一になるように各エネルギー貯蔵装置の出力分担を調整してもよい。
【００７１】
その際には、充放電制御部８は、各エネルギー貯蔵装置の充電率及び定格出力に応じて出力分担を決定してもよい。
【符号の説明】
【００７２】
Ａ  電力供給システム
１  分散型電源装置
２  インバータ
３  蓄電池（エネルギー貯蔵装置）
５  電力管理装置
６  充電率算出部
７  記憶部
８  充放電制御部（制御部）
【図１】
2020171102.tif 000003
【図２】
2020171102.tif 000004
【図３】
2020171102.tif 000005
【図４】
2020171102.tif 000006